(57)【要約】【課題】施工後であってもパネルを容易に取り替えることができるパネルの取付構造を提供する。【解決手段】パネル１の端部に被係止部２を突設する。壁下地３に仮固定具４を設ける。パネル１の被係止部２を仮固定具４に係止することによりパネル１を壁下地３に対して平行移動可能に仮固定する。仮固定したパネル１を壁下地３に固定具６で本固定する。仮固定したパネル１を壁下地３に対して所謂けんどん方式で移動させることができる。【選択図】図１
2010144402.tif 000002
【特許請求の範囲】
【請求項１】
パネルの端部に被係止部を突設し、壁下地に仮固定具を設け、パネルの被係止部を仮固定具に係止することによりパネルを壁下地に対して平行移動可能に仮固定し、仮固定したパネルを壁下地に固定具で本固定して成ることを特徴とするパネルの取付構造。
【請求項２】
隣接するパネルの間に水密パッキンと遮炎パッキンとを設けて成ることを特徴とする請求項１に記載のパネルの取付構造。
【請求項３】
隣接するパネルの接合面を傾斜面として形成して成ることを特徴とする請求項１又は２に記載のパネルの取付構造。
【請求項４】
隣接するパネルの傾斜面の間に水密パッキンと遮炎パッキンとの少なくとも一方を充填して成ることを特徴とする請求項３に記載のパネルの取付構造。
【発明の詳細な説明】
【技術分野】
【０００１】
本発明は、壁材等として用いられるパネルの取付構造に関するものである。
【背景技術】
【０００２】
従来より、上下又は左右に複数枚のパネルを並設して外壁等の壁を形成することが行われており、隣接するパネルの端部同士を嵌合等により接続することも行われている（例えば、特許文献１参照）。
【特許文献１】特開２００４−１９７３６５号公報
【発明の開示】
【発明が解決しようとする課題】
【０００３】
しかし、従来では隣接して接続されたパネルの一枚のみを取り外すことが困難であって、メンテナンス等のために取り替えることができないという問題があった。
【０００４】
本発明は上記の点に鑑みてなされたものであり、施工後であってもパネルを容易に取り替えることができるパネルの取付構造を提供することを目的とするものである。
【課題を解決するための手段】
【０００５】
本発明の請求項１に係るパネルの取付構造は、パネル１の端部に被係止部２を突設し、壁下地３に仮固定具４を設け、パネル１の被係止部２を仮固定具４に係止することによりパネル１を壁下地３に対して平行移動可能に仮固定し、仮固定したパネル１を壁下地３に固定具６で本固定して成ることを特徴とするものである。
【０００６】
本発明の請求項２に係るパネルの取付構造は、請求項１において、隣接するパネル１、１の間に水密パッキン７と遮炎パッキン８とを設けて成ることを特徴とするものである。
【０００７】
本発明の請求項３に係るパネルの取付構造は、請求項１又は２において、隣接するパネル１、１の接合面を傾斜面９、１０として形成して成ることを特徴とするものである。
【０００８】
本発明の請求項４に係るパネルの取付構造は、請求項３において、隣接するパネル１、１の傾斜面９、１０の間に水密パッキン７と遮炎パッキン８との少なくとも一方を充填して成ることを特徴とするものである。
【発明の効果】
【０００９】
請求項１の発明では、仮固定したパネル１を壁下地３に対して所謂けんどん方式で移動させることができ、施工後であっても固定具６を外して仮固定状態にしたパネル１を容易に取り外して取り替えることができるものである。
【００１０】
請求項２の発明では、水密パッキン７で隣接するパネル１、１の間の水密性を高めることができると共に遮炎パッキン８で隣接するパネル１、１の間で炎が通過するのを防止することができ、防水性と防火性を向上させることができるものである。
【００１１】
請求項３の発明では、傾斜面９、１０により、けんどん方式で隣接するパネル１、１の一方を移動させる際に、他方に対して離れやすくすることができ、パネル１の取り替えを容易に行うことができるものである。
【００１２】
請求項４の発明では、隣接するパネル１、１の垂直面の間に水密パッキン７又は遮炎パッキン８を充填する場合に比べて、傾斜面９、１０で水密パッキン７又は遮炎パッキン８を容易に圧縮することができ、防水性と防火性を高めることができるものである。
【発明を実施するための最良の形態】
【００１３】
以下、本発明を実施するための最良の形態を説明する。
【００１４】
本発明で用いるパネル１は、図２に示すように、二枚の金属外皮で形成される表面板２０と裏面板２１との間に芯材２３を充填して一体化することにより、所謂サンドイッチパネルとして形成されている。表面板２０と裏面板２１の金属外皮としては、例えば、厚み０．２７〜１．６ｍｍ程度の金属板をロール加工や折り曲げ加工するなどして形成することができ、この金属板としては亜鉛めっき鋼板や塗装鋼板やガルバリウム鋼板（登録商標）などを用いることができる。また、芯材２３としては、例えば、厚み２０〜１２０ｍｍ程度の断熱材を用いることができる。この断熱材としてはロックウールやグラスウールなどの無機質断熱材、ウレタンフォームやスチレンフォームやフェノールフォームやポリイソシアヌレートフォームなどの樹脂断熱材を用いることができる。また、芯材２３としては耐火性芯材２３ａと非耐火性芯材２３ｂを併用することができる。例えば、耐火性芯材２３ａとしてはパネル１の側端部や上下端部に密度が２００ｋｇ／ｍ３より大きい高密度ロックウールを使用し、非耐火性芯材２３ｂとしてはパネル１の中央部などのその他の部分に密度が２００ｋｇ／ｍ３以下のロックウールを使用することができる。
【００１５】
パネル１の一側端部には支持部２４が上下方向の全長にわたって形成されていると共に、支持部２４の表側には嵌合凹部２５が形成されている。支持部２４の嵌合凹部２５側の表面は傾斜面９として形成されている。この傾斜面９は支持部２４の側端部に近づくほどパネルの裏面側に向かって傾斜するように形成されている。また、支持部２４の側端面には被係止部２が上下方向の全長にわたって突設されている。被係止部２は裏面板２１を屈曲加工して形成されており、支持部２４の厚み方向の中央部よりも裏面側に近い位置に形成されている。
【００１６】
パネル１の他側端部には嵌合凸部２６が上下方向の全長にわたって形成されていると共に、嵌合凸部２６の裏側には支持部収容凹部２７が形成されている。嵌合凸部２６の裏面は傾斜面１０として形成されている。この傾斜面１０は嵌合凸部２６の側端部に近づくほどパネルの表面側に向かって傾斜するように形成されている。また、嵌合凸部２６の表面には目地凹部２８が上下方向の全長にわたって形成されている。さらに、嵌合凸部２６側のパネル１の側端部の裏面には仮固定具収容凹部２９が上下方向の全長にわたって形成されている。
【００１７】
本発明で用いる仮固定具４は金属板等を折り曲げ加工して形成される金具であって、固定片３０と係止片３１と連結片３２とを備えている。固定片３０と係止片３１とは連結片３２を挟んで反対向きに突出しており、仮固定具４は断面略Ｚ字状に形成されている。
【００１８】
そして、本発明のパネル１の取付構造は以下のようにして形成することができる。まず、柱や胴縁などの壁下地３に仮固定具４の固定片３０をビスなどの固定具３３で固定することによって、仮固定具４を壁下地３に取り付ける。このとき、係止片３１は連結片３２から横方向に突出している。次に、仮固定具４の係止片３１と壁下地３との間にパネル１の被係止部２を挿入し、被係止部２を係止片３１に係止することによって、パネル１の支持部２４側の側端部を仮固定する。また、このパネル１と隣接する他のパネル１とは、嵌合凸部２６と嵌合凹部２５とを嵌合すると共に支持部２４を支持部収容凹部２７に収容することによって接続する。また、パネル１を仮固定する仮固定具４は隣接するパネル１の仮固定具収容凹部２９に収容される。
【００１９】
このとき、一方のパネル１の傾斜面９と他方のパネル１の傾斜面１０とは水密パッキン７を介在させて接合することができる。水密パッキン７はエチレンプロピレンゴム（ＥＰＤＭ）などの良好な耐候性と弾性とを有する合成ゴムから形成することができ、パネル１の上下方向の略全長にわたって設けることができる。また、一方のパネル１の支持部４の側端面と他方のパネル１の支持部収容凹部２７の内側面とは遮炎パッキン８を介在させて接合することができる。遮炎パッキン８は火災時の熱で発泡して膨張するものであって、例えば、厚み１〜６ｍｍのシート状の膨張フェルトで形成することができる。膨張フェルトは一般名称が「グラファイト配合型加熱膨張・不燃性ロックウールフェルト」と称されるものなどを用いることができる。また、膨張フェルトとしては、その組成がロックウール：８３％、バインダー：７％、グラファイト：１０％のものを用いることができるが、これに限定されるものではない。また、膨張フェルトとしては、膨張開始温度が２００〜２５０℃、膨張終了温度が５００〜５５０℃であり、加熱発泡倍率が厚み方向において３００℃で２５０〜３００％、４００℃で３００〜３５０％、５００℃で３５０〜４００％、６００℃で４５０〜５００％のものを使用することができる。さらに、膨張フェルトはロックウールフェルトと同等の不燃性を有するものである。そして、火災時の加熱により、遮炎パッキン８が膨張することにより、隣接するパネル１、１の接続部分に火災の加熱により隙間が生じても、この隙間を膨張した遮炎パッキン８で充填して隙間を閉塞することができる。従って、遮炎パッキン８によるパネル１、１間の隙間の閉塞によって、パネル１の一方の表面側で生じた火災の炎が、パネル１の他方の表面側に通り抜けないようにすることができ、隣接するパネル１、１の接続部分の耐火性を向上させることができるものである。
【００２０】
上記のようにして隣接するパネル１、１を接続した後、目地凹部２８から嵌合凸部２６及び支持部２４を貫通するようにビス等の固定具６を壁下地３に打ち込むことによって、パネル１を本固定する。この後、目地凹部２８にはシール材４０などを充填して防水性を高めることができる。そして、複数枚のパネル１、１…を順次横方向に並べて上記のように接続しながら施工することによって、建物の壁を形成することができる。
【００２１】
本発明では、上記のようにして壁を形成した後、一枚のパネル１のみを壁から取り外すことができる。この場合、まず、取り外す対象のパネル１を固定している固定具６をパネル１及び壁下地３から取り外す。このようにして取り外す対象のパネル１を本固定状態から仮固定状態にする。次に、取り外す対象のパネル１の被係止部２とこのパネル１を仮固定している仮固定具４の連結片３２とに隙間５を形成するように、取り外す対象のパネル１を壁下地３の表面に対して平行に移動させる。図４のものでは、左右二枚のパネル１、１の間に配置された真ん中のパネル１を左側（嵌合凸部２６側、矢印イで示す）にスライド移動させて上記の隙間５を形成している。このように本発明では、仮固定具４と被係止部２の間に隙間５を設け、この隙間５を利用して仮固定したパネル１を壁下地３に対してスライド移動自在に形成している。次に、取り外す対象のパネル１をその被係止部２側を中心として嵌合凸部２６側の端部を表面側に回動させる（矢印ロで示す）。この後、回動させたパネル１を壁下地３から離れるように引き出すことにより、仮固定具４の係止から被係止部２を離脱させる。このとき、隣接するパネル１、１はその接合面が傾斜面９、１０として形成されているので、取り外す対象のパネル１を他のパネル１に対して引っ掛からないように逃がしやすくできるものである。このようにして左右二枚のパネル１、１の間に配置された真ん中のパネル１を所謂けんどん方式で取り外すことができる。また、逆に、左右二枚のパネル１、１の間に、けんどん方式で新たなパネル１を取り付けることができる。
【００２２】
図５に示すように、本発明のパネルの取付構造は、パネル１、１を上下に隣接して接続する場合でも使用することができる。この場合、パネル１の被係止部２や支持部２４などを形成した方の端部を上端部とし、パネル１の嵌合凸部２６などを形成した方の端部を下端部とすることができる。また、パネル１、１を上下に接続した場合、傾斜面９と傾斜面１０の間に介在させた水密パッキン７と、支持部４と支持部収容凹部２７の間に介在させた遮炎パッキン８とをパネル１の自重により圧縮することができ、水密パッキン７と遮炎パッキン８を圧縮する人力を軽減することができてパネル１の取り付けを容易に行うことができる。また、パネル１、１を上下に隣接して接続する場合も、上記と同様にけんどん方式によりパネル１の取り外しや取り付けを行うことができる。
【００２３】
また、図６に示すように、パネル１の支持部２４や嵌合凸部２６を形成していない端部に沿って、表面板２０の端部を折り曲げ加工することにより、箱折部３５を形成した場合は、箱折部３５の両端部をオーバーラップ部３６、３７として形成し、隣接するパネル１、１でオーバーラップ部３６、３７を重ねるようにして施工するものである。
【００２４】
図７に示すパネル１は、図１、２のパネル１に比べて、傾斜面９、１０の広さが異なるだけで、その他の構成は上記と同様である。また、図８に示すように、けんどん方式によりパネル１の取り外しや取り付けを行うことができること、及び図９に示すように、箱折部３５を設けてそのオーバーラップ部３６、３７を重ねて施工することは、上記と同様に行うことができる。
【図面の簡単な説明】
【００２５】
【図１】本発明の実施の形態の一例を示す断面図である。
【図２】同上のパネルの一例を示す斜視図である。
【図３】同上の仮固定具の一例を示す斜視図である。
【図４】同上のパネルを取り外す手順を示す概略図である。
【図５】同上の他の実施の形態の一例を示す断面図である。
【図６】同上の他のパネルの一例を示す概略図である。
【図７】同上の他の実施の形態の一例を示す断面図である。
【図８】同上のパネルを取り外す手順を示す概略図である。
【図９】同上の他のパネルの一例を示す概略図である。
【符号の説明】
【００２６】
１  パネル
２  被係止部
３  壁下地
４  仮固定具
６  固定具
７  水密パッキン
８  遮炎パッキン
９  傾斜面
１０  傾斜面
【図１】
2010144402.tif 000003
【図２】
2010144402.tif 000004
【図３】
2010144402.tif 000005
【図４】
2010144402.tif 000006
【図５】
2010144402.tif 000007
【図６】
2010144402.tif 000008
【図７】
2010144402.tif 000009
【図８】
2010144402.tif 000010
【図９】
2010144402.tif 000011